(57)【要約】      （修正有）【課題】箱体内側の汚れが堆積しやすい長手方向両端の四隅にある箱体底面と長辺壁と短辺壁の三面に囲まれた短辺内側深部隅Ｈの洗浄が容易な箸箱を提供する。【解決手段】箸箱１０は、箸１２を出し入れするための開口を有する上方開口長方体状の箱体１３と箱体１３の開口部または開口部及び外周面を覆う蓋体３６からなる。上方開口長方体状の箱体１３は、箸１２を出し入れするための開口を上方に有し長手方向両端の箱体底面６０から垂直方向に延びた一対の短辺壁２５の箱体底面６０からの高さを０ｍｍ以上７ｍｍ以下とし、箱体１３の長手方向に平行し箱体底面６０の両側に箱体底面６０から垂直方向に延びた一対の長辺壁２０と箱体底面６０とで構成される。【選択図】図３
0003188296.tif 000002
【実用新案登録請求の範囲】
【請求項１】
箸を出し入れするための開口を有する上方開口長方体状の箱体と該箱体の開口部または開口部及び外周面を覆う蓋体からなる箸箱において、上方開口長方体状の箱体は箸を出し入れするための開口を上方に有し長手方向両端の箱体底面から垂直方向に延びた一対の短辺壁の上面側の大部分または全体を切り欠き、箱体の長手方向に平行し箱体底面の両側に箱体底面から垂直方向に延びた一対の長辺壁と箱体底面とで構成されたことを特徴とする箸箱。
【請求項２】
箱体の長手方向両端の切り欠いた短辺壁の一方を箸の箱体挿入口とし箱体挿入口から箸を挿入したときに、箱体に箸を係止させ箱体底面との間に箸中央部付近を挟み込むための箸係止部を長辺壁内側に具備したことを特徴とする請求項１項記載の箸箱。
【請求項３】
箱体の箱体底面の一部に箱体底面傾斜部を具備したことを特徴とする請求項１項記載の箸箱。
【請求項４】
箱体の長手方向に平行し箱体底面の両側に箱体底面から垂直方向に延びた一対の長辺壁と箱体底面との内角が半径０．５ｍｍ以上の内角Ｒ形状を具備したことを特徴とする請求項１項記載の箸箱。
【考案の詳細な説明】
【技術分野】
【０００１】
この考案は、洗浄が容易な箸箱に関するものである。
【背景技術】
【０００２】
従来の箸箱としては、箸を出し入れするための開口を有する上方開口長方体状の箱体と、該箱体の開口部または開口部及び外周面を覆う蓋体からなる箸箱において、箸箱の洗浄を容易としたものが種々存在する。(特許文献１及び２参照)
【先行技術文献】
【特許文献】
【０００３】
【特許文献１】特許第４０５４２４１号(第３図)
【０００４】
【特許文献２】実用新案登録第３１７９３７５号(第２図)
【０００５】
たとえば、特許文献１に記載された発明は箸を取り出し易くするための箸を持ち上げる機構を不要とすることで洗浄の手間を軽減したもので、特許文献２に記載された考案は蓋体と箱体は簡単に取り外す事ができるため使用後別々に洗浄することができることで清潔に保つことのできる衛生的な箸箱である。
【考案の概要】
【考案が解決しようとする課題】
【０００６】
特許文献１及び２に記載された発明、考案は箱体と蓋体とを分離洗浄を可能とすることで簡単に洗浄できるようにしたものである。上方開口長方体状の箱体は箸を出し入れするための開口を上方に有し箱体の長手方向に平行した箱体底面の両側に箱体底面から垂直方向に延びた一対の長辺壁と長手方向両端には箱体底面に対して垂直方向に延びた一対の短辺壁とで構成されている。
この上方開口長方体状の箱体の長手方向両端の四隅にある箱体底面と長辺壁と短辺壁の三面に囲まれた短辺内側深部隅Ｈは洗浄がしにくいために汚れが堆積し易いという課題があり解決されていない。    
【０００７】
本考案は、以上のような従来の欠点に鑑み、箱体内側の汚れが堆積しやすい長手方向両端の四隅にある箱体底面と長辺壁と短辺壁の三面に囲まれた短辺内側深部隅Ｈの洗浄が容易な箸箱を提供することを目的としている。
【課題を解決するための手段】
【０００８】
箸を出し入れするための開口を有する上方開口長方体状の箱体と該箱体の開口部または開口部及び外周面を覆う蓋体からなる箸箱において、上方開口長方体状の箱体は箸を出し入れするための開口を上方に有し長手方向両端の箱体底面から垂直方向に延びた一対の短辺壁の上面側の大部分または全体を切り欠き、箱体の長手方向に平行し箱体底面の両側に箱体底面から垂直方向に延びた一対の長辺壁と箱体底面とで構成された箸箱。
【０００９】
箱体の長手方向両端の切り欠いた短辺壁の一方を箸の箱体挿入口とし箱体挿入口から箸を挿入したときに、箱体底面との間に箸中央部付近を挟み込むための箸係止部を長辺壁内側に具備してもよい。
【００１０】
箱体底面の一部に箱体底面傾斜部を具備してもよい。
【００１１】
箱体の長手方向に平行し箱体底面の両側に箱体底面から垂直方向に延びた一対の長辺壁と箱体底面との内角が半径０．５ｍｍ以上の内角Ｒ形状を具備してもよい。
【考案の効果】
【００１２】
以上の説明から明らかなように、本考案にあっては次に列記する効果が得られる。
【００１３】
上方開口長方体状の箱体の長手方向両端の四隅にある箱体底面と長辺壁と短辺壁の三面に囲まれた短辺内側深部隅Ｈは洗浄がしにくいために汚れが堆積し易く短辺壁の上面側の大部分または全体を切り欠くことで汚れが堆積することを排除し洗浄を容易にすることができる。
【００１４】
上方開口長方体状の箱体の長手方向両端の短辺壁の上面側の大部分または全体を切り欠くことにより短辺壁の一方を箱体挿入口とし箸を挿入することを可能とし長辺壁内側に箸係止部を具備することにより箱体に箸を係止させ箸箱を持ち歩いた時のカタカタという音を低減することができる。
【００１５】
また、箸の取り出し時においては図１１に示すように箱体より蓋体を分離後に箱体を傾け箱体に収容係止されている箸を箱体底面上を滑べらせながら降下する箸を手で捕捉することにより容易に箸を取り出すことができる。
【００１６】
箱体底面の一部に箱体底面傾斜部を具備することにより、使用後の汚れた箸先と箱体底面との接触による箱体底面の汚れの付着を減らし箱体底面の洗浄を容易にすることができる。
【００１７】
さらに、箱体底面の一部に箱体底面傾斜部を具備することにより洗浄後の乾燥が不十分なままの箸を収容しても、箱体底面と箸との隙間ができることにより乾燥を促し雑菌の繁殖を低減することができる。
【００１８】
箱体の長手方向に平行し箱体底面の両側に箱体底面から垂直方向に延びた一対の長辺壁と箱体底面との内角を半径０．５ｍｍ以上とすることで、長辺壁と箱体底面との内角箇所の洗浄を容易にすることができる。
【００１９】
構成が簡素であり、箱体と蓋体とを完全に分離することができるので洗浄の手間を軽減できる。
【図面の簡単な説明】
【００２０】
【図１】従来の上方開口長方体状の箱体にスライド式の蓋体を準備した箸箱の一例である。
【図２】図１に示した従来の箸箱との違いを説明するために準備された本考案の箸箱の箱体及び蓋体の外観形状を示す実施例１である。
【図３】本考案の最良の形態を示す箸箱の箱体及び蓋体の外観形状を示す実施例２である。
【図４】本考案の実施例２の箸箱の正面図、平面図、底面図、右側面図、左側面図である。
【図５】本考案の実施例２の箱体の正面図、平面図、底面図、右側面図、左側面図である。
【図６】本考案の実施例２の蓋体の正面図、平面図、底面図、右側面図、左側面図である。
【図７】本考案の実施例２の箱体に箸を収容する方法を示す説明図である。
【図８】本考案の実施例２の箱体に箸を収容後、箸係止部によって箱体から箸が落下せずに係止されている説明図である。
【図９】本考案の実施例２の箱体に箸を収容後、蓋体を箱体の上部に準備後両手の親指で蓋体の両隅を押さえることにより箱体に合体させる説明図である。
【図１０】本考案の実施例２の箱体から蓋体の係止部を左手の親指で外すことにより蓋体を分離する説明図である。
【図１１】本考案の実施例２の箱体から箸の取り出し方法を示す説明図である。
【図１２】本考案の箸箱の箱体及び蓋体の外観形状を示す実施例３である。
【図１３】本考案の箸箱の箱体及び蓋体の外観形状を示す実施例４である。
【図１４】本考案の箸箱の箱体及び蓋体の外観形状を示す実施例５である。
【図１５】本考案の箸係止部の実施例（ア）である。
【図１６】本考案の箸係止部の実施例（イ）である。
【図１７】本考案の箸係止部の実施例（ウ）である。
【図１８】本考案の箸係止部の実施例（エ）である。
【図１９】本考案の箸係止部の実施例（オ）である。
【図２０】本考案の箸係止部の実施例（カ）である。
【図２１】本考案の箸係止部の実施例（キ）である。
【図２２】本考案の箸係止部の実施例（ク）である。
【図２３】本考案の箱体底面の形状を示す実施例（Ａ）である。
【図２４】本考案の箱体底面の形状を示す実施例（Ｂ）である。
【考案を実施するための形態】
【００２１】
以下、本考案の実施の形態を図に基づいて説明する。
【００２２】
図１は、従来の箸箱１０の一例で上方開口長方体状の箱体１３とスライド式の蓋体３６を準備し組立前の態様図である。上方開口長方体状の箱体１３は長手方向に平行した箱体底面６０の両側に箱体底面６０から垂直方向に延びた一対の長辺壁２０と長手方向両端には箱体底面６０に対して垂直方向に延びた一対の短辺壁２５と箱体底面６０とで構成されている。
【００２３】
箱体１３の内側上面には一対の条溝１６がつけられ蓋体３６の長手方向の両側に平行に一対の突条４２が具備され箱体１３の条溝１６に対して勘合後平行にスライド挿入させることにより箱体１３に蓋体３６を合体させる。
【００２４】
この上方開口長方体状の箱体１３の長手方向両端の四隅にある箱体底面６０と長辺壁２０と短辺壁２５の三面に囲まれた短辺内側深部隅Ｈは洗浄がしにくいために汚れが堆積し易い。
【００２５】
図２は、図１に示した従来の箸箱との違いを説明するために準備された本考案の箸箱１０の箱体１３及び蓋体３６の外観形状を示す実施例１で、箱体１３と蓋体３６を準備し組立前の態様図である。
【００２６】
この考案が適用された箸箱１０の箱体１３は、図１に示した従来の箱体１３の長手方向両端の四隅にある箱体底面６０と長辺壁２０と短辺壁２５の三面に囲まれた短辺内側深部隅Ｈの洗浄が容易なように工夫されたものであり、箱体１３の長手方向両端の短辺壁２５全体を切り欠き箱体底面６０と箱体１３の長手方向に平行した箱体底面６０の両側から垂直方向に延びた一対の長辺壁２０の２面構造とすることで汚れが堆積することを排除し洗浄を容易にした。
【００２７】
図３は本考案の最良の形態を示す箸箱１０の箱体１３及び蓋体３６の外観形状を示す実施例２で、箱体１３と蓋体３６を準備し組立前の態様図である。
【００２８】
この考案が適用された箸箱１０の箱体１３は、図１に示した従来の箱体１３の長手方向両端の四隅にある箱体底面６０と長辺壁２０と短辺壁２５の三面に囲まれた短辺内側深部隅Ｈの洗浄が容易なように工夫されたものであり、箱体１３の長手方向両端の短辺壁２５全体を切り欠き箱体底面６０と箱体１３の長手方向に平行した箱体底面６０の両側から垂直方向に延びた一対の長辺壁２０の２面構造とすることで汚れが堆積することを排除し洗浄を容易にした。
【００２９】
この箱体１３に上方開口面を覆う蓋板４５および箱体１３の側方開口面を覆う蓋体側板ａ部５０ａ及び蓋体側板ｂ部５０ｂで構成された蓋体３６が合体される。
【００３０】
箱体１３の長手方向に平行した箱体底面６０の両側から垂直方向に延びた長辺壁２０の上面は、箸先側１２ｃが箸握り部１２ａより細くなっている箸形状に沿う形で箱体挿入口１５から箱体箸先側１４に渡って高さが低くなるように傾斜している。
【００３１】
また、箱体１３の長辺壁２０の長手方向の両端の上部の側面形状は略R形状を呈している。
【００３２】
さらにこの箱体１３は箸１２を係止させるために箱体底面６０との間に箸中央部１２ｂ付近を挟み込むための箸係止部８０を長辺壁２０内側に具備している。
【００３３】
図４は、本考案の実施例２の箸箱１０の正面図、平面図、底面図、右側面図、左側面図である。
【００３４】
図５は、本考案の実施例２の箱体１３の正面図、平面図、底面図、右側面図、左側面図である。
【００３５】
箱体１３は箱体底面６０と箱体１３の長手方向に平行した箱体底面６０の両側から垂直方向に延びた一対の長辺壁２０とで構成され箱体１３に箸１２を係止させるために箱体底面６０との間に箸中央部１２ｂ付近を挟みこむための箸係止部８０を長辺壁２０内側に具備している。
【００３６】
箱体１３には箱体係止ａ部３０ａ、箱体係止ｂ部３０ｂが具備されている。
【００３７】
図６は、本考案の実施例２の蓋体３６の正面図、平面図、底面図、右側面図、左側面図である。
【００３８】
蓋体３６は、蓋板４５と蓋板４５の長手方向両端に蓋板側板ａ部５０ａ及び蓋板側板ｂ部５０ｂを具備し、蓋板４５と蓋板側板ａ部５０ａ、蓋板側板ｂ部５０ｂは箱体形状に沿う形で連続した曲面にて接続されている。
【００３９】
蓋体３６の蓋体側板ａ部５０ａ、蓋体側板ｂ部５０ｂには蓋体係止ａ部４０ａ、蓋体係止ｂ部４０ｂが具備されている。
【００４０】
図７は、本考案の実施例２の箱体１３に箸１２を収容する方法を示す説明図である。尚、下記右手左手についての記述は右利きの人を前提としているものであって左利きの人に関しては、その逆手と解釈するものとする。
【００４１】
箱体１３に箸１２を収容する際には左手で箱体１３の箱体箸先側１４を把持し箱体１３の箱体挿入口１５の高さを高くし右手で保持した箸１２の箸先側１２ｃを斜め下方向に向け箱体挿入口１５から箱体底面６０に沿って滑らせることにより箱体１３の長辺壁２０の内側に具備した箸係止部８０と箱体底面６０とに箸中央部１２ｂ付近が挟みこまれ箸１２が箱体１３に係止される。
【００４２】
図８は、本考案の実施例２の箱体１３に箸１２を収容した状態を示す。箱体１３の箱体箸先側１４を下位側に箱体挿入口１５を上位側に傾けることにより箱体１３の箸係止部８０によって箱体１３から箸１２は落下することなく係止されている。
【００４３】
図９は、本考案の実施例２において箸１２を収容した箱体１３および蓋体３６が準備され両手の小指、薬指で箱体を抱えるように保持しながら上から蓋体３６を箱体１３に覆うようにし両手の親指で蓋体３６の蓋体係止ａ部４０ａに対しては箱体１３の箱体係止ａ部３０ａに、蓋体３６の蓋体係止ｂ部４０ｂに対しては箱体１３の箱体係止ｂ部３０ｂが係止するまで押さえることにより箱体１３と蓋体３６が合体され箸１２が収容された箸箱１０になる。
【００４４】
図１０は、本考案の実施例２において箱体１３から蓋体３６の取り外し方について説明したものである。左手で箱体１３の箱体挿入口１５近辺を把持し蓋体３６の蓋体係止ａ部４０ａを左手の親指で箱体１３の箱体係止ａ部３０ａから外す方向に力を加えながら箱体係止ａ部３０ａに係止されていた蓋体３６の蓋体係止ａ部４０ａを外す。
【００４５】
図１１は、本考案の実施例２において箱体１３からの箸１２の取り出し方法について説明したものである。
【００４６】
箱体１３の長手方向に対して水平を保つように左手親指と中指で箱体１３の箱体箸先側１４を把持ちしながら、箱体１３の箱体挿入口１５を下位方向に高さを下げていくことにより箱体１３に収容されていた箸１２が箱体底面６０上を滑りだしたら箱体１３の位置角度を維持し、降下し滑り落ちる箸１２を右手で捕えることにより箸１２を取り出す。
【００４７】
図１２は、本考案の箸箱１０の箱体１３及び蓋体３６の外観形状を示す実施例３で箱体の長手方向に平行した箱体底面６０の両側に箱体底面６０から垂直方向に延びた一対の長辺壁２０の上面が箸先側１２ｃが箸握り部１２ａより細くなっている箸形状に沿う形で箱体挿入口１５から箱体箸先側１４に渡って高さが低くなるように傾斜し長辺壁２０の側面形状が略台形形状を呈している箱体１３で互いに平行する長辺壁２０の内側に相互の長辺壁２０に跨る直方体状（ア）の箸係止部８０を設けている。
【００４８】
図１３は、本考案の箸箱１０の箱体１３及び蓋体３６の外観形状を示す実施例４で箱体１３の長手方向に平行した箱体底面６０の両側に箱体底面６０から垂直方向に延びた一対の長辺壁２０の上面が箱体挿入口１５から箱体箸先側１４に渡って高さが低くなるように傾斜し長手方向両端の下部が略Ｒ形状を呈し短辺壁２５と箱体底面６０とが連続した曲面で接続され短辺壁２５と箱体底面６０との境界がなく短辺壁は箱体底面付近までの上面側の大部分を切り欠いている実施例で、互いに平行する長辺壁２０の内側に跨る略直方体状（ア）の箸係止部８０を設けている。
【００４９】
図１４は、本考案の箸箱１０の箱体１３及び蓋体３６の外観形状を示す実施例５で、箸１２の箸握り部１２ａを収容する部分を箱体底面６０と長辺壁２０とで囲まれた収容空間３５を形成した構造とし、箸先側１２ｃを収容する部分を箱体底面６０のみとし箸握り部１２ａを収容する部分と箸先側１２ｃを収容する部分との境の長辺壁２０の上面を略Ｒ形状とした箱体１３で、互いに平行する長辺壁２０内側に跨る曲面形状（ケ）の箸係止部８０を設けている。
【００５０】
箸先側１２ｃを収容する箱体箸先側１４を箱体底面６０のみとすることで箸箱１０の箱体１３の洗浄を容易にしている。
【００５１】
図は省略するが、箱体１３の箱体底面６０の形状を箸握り部１２ａを収容する箱体挿入口１５を平面とし、箸先側１２ｃを収容する箱体箸先側１４の高さが箱体挿入口１５の高さより低くなるように箱体底面傾斜部１００を具備することで収容された箸１２の箸先側１２ｃと箱体底面６０とに隙間ができ使用後の汚れた箸１２の箸先側１２ｃからの箱体底面６０への汚れの付着を軽減させ箸箱１０の洗浄をさらに容易にさせる。
【００５２】
箱体１３に箸１２を収容したら上部から箱体形状６０に勘合する形状を有する蓋体３６を合体させる。
【００５３】
図１５は箸係止部８０の形状を示す実施例（ア）で、実施例２の箱体１３の互いに平行する一対の長辺壁２０の内側に跨る略直方体形状の箸係止部８０を具備したものである。
【００５４】
図１６は箸係止部８０の形状を示す実施例（イ）で、実施例２の箱体１３の互いに平行する一対の長辺壁２０の内側に跨る略円柱状の箸係止部８０を具備したものである。
【００５５】
図１７は箸係止部８０の形状を示す実施例（ウ）で、実施例２の箱体１３の互いに平行する一対の長辺壁２０の内側から突起した略台形体形状の箸係止部８０を具備したものである。
【００５６】
図１８は箸係止部８０の形状を示す実施例（エ）で、実施例２の箱体１３の互いに平行する一対の長辺壁２０の内側から突起した略三角柱体形状の箸係止部８０を具備したものである。
【００５７】
図１９は箸係止部８０の形状を示す実施例（オ）で、実施例２の箱体１３の互いに平行する一対の長辺壁２０の上面の一部を溝形状に切り欠きゴム状の弾性体８５を巻くことで箸係止部８０としたものである。
【００５８】
図２０は箸係止部８０の形状を示す実施例（カ）で、実施例２の箱体１３の互いに平行する一対の長辺壁２０の側面に貫通穴を開け、円盤状の頭部を具備し先端が凹と凸形状を具備した一対のピンａ８６を互いに向かい合うように貫通穴に挿入後、勘合させることで箱体１３に箸係止部８０としての機能を具備したものである。
【００５９】
図２１は箸係止部８０の形状を示す実施例（キ）で、実施例２の箱体１３の互いに平行する一対の長辺壁２０の側面に貫通穴の一部が長辺壁２０の上面に掛かり貫通穴の一部が切り欠かれた形状を呈する貫通穴に、円盤状の頭部を具備した円柱体状のピンｂ８７を勘合させることで箱体１３に箸係止部８０としての機能を具備したものである。
【００６０】
図２２は箸係止部８０の形状を示す実施例（ク）で、実施例２の箱体１３の互いに平行する一対の長辺壁２０の上面の一部に凹形状の切り欠きを入れ、箱体１３の外側底面に対して係止する形状を具備したこの字状のフック９０をはめ込むことで箸係止部８０とした。この字状のフック９０は弾力性のある樹脂材料により成形されたものでこの字状のフック９０の箸係止部８０を箱体底面６０から取り外し分離後洗浄を可能としたものである。
【００６１】
図２３は本考案の箱体底面６０の形状を示す実施例（Ａ）で、図１〜図２２の箱体底面６０は一平面であったのに対して箱体底面６０が平面と傾斜面で構成するようにしたものである。図２３に示す実施例（Ａ）は、箱体１３の箱体底面６０の高さが箱体中央部の平面部分に対して、長手方向両端が低くなるように箱体底面傾斜部１００を設けたものである。図は省略するが、箱体中央部の平面部分に対して長手方向両端の高さが高くなるようにしてもよいし、箱体底面傾斜部１００を箱体箸先側１４の片側だけに設けるようにしてもよい。
【００６２】
図２４は本考案の箱体底面６０の形状を示す実施例（Ｂ）で、図１〜図２３は箱体１３の長手方向に平行し箱体底面６０の両側に箱体底面６０から垂直方向に延びた一対の長辺壁２０と箱体底面６０との内角が直角に交わり半径０．５ｍｍ以下のＲ形状がついているのに対して半径０．５ｍｍ以上のより大きな内角Ｒ形状１２０を具備することにより箱体底面６０と長辺壁２０との内角箇所の洗浄を容易にするようにした。
【産業上の利用可能性】
【００６３】
本考案は箸箱を製造する産業で利用される。
【符号の説明】
【００６４】
１０・・・  箸箱
１２・・・  箸
１２ａ・・・箸握り部
１２ｂ・・・箸中央部
１２ｃ・・・箸先側
１３・・・  箱体
１４・・・  箱体箸先側
１５・・・  箱体挿入口
１６・・・  条溝
２０・・・  長辺壁
２５・・・  短辺壁
３０ａ・・・箱体係止ａ部
３０ｂ・・・箱体係止ｂ部
３５・・・  収容空間
３６・・・  蓋体
４０ａ・・・蓋体係止ａ部
４０ｂ・・・蓋体係止ｂ部
４２・・・  突条
４５・・・  蓋板
５０ａ・・・蓋体側板ａ部
５０ｂ・・・蓋体側板ｂ部
６０・・・  箱体底面
８０・・・  箸係止部
８５・・・  ゴム状の弾性体
８６・・・  ピンａ
８７・・・  ピンｂ
９０・・・  フック
１００・・・箱体底面傾斜部
１２０・・・内角Ｒ形状
【図１】
0003188296.tif 000003
【図２】
0003188296.tif 000004
【図３】
0003188296.tif 000005
【図４】
0003188296.tif 000006
【図５】
0003188296.tif 000007
【図６】
0003188296.tif 000008
【図７】
0003188296.tif 000009
【図８】
0003188296.tif 000010
【図９】
0003188296.tif 000011
【図１０】
0003188296.tif 000012
【図１１】
0003188296.tif 000013
【図１２】
0003188296.tif 000014
【図１３】
0003188296.tif 000015
【図１４】
0003188296.tif 000016
【図１５】
0003188296.tif 000017
【図１６】
0003188296.tif 000018
【図１７】
0003188296.tif 000019
【図１８】
0003188296.tif 000020
【図１９】
0003188296.tif 000021
【図２０】
0003188296.tif 000022
【図２１】
0003188296.tif 000023
【図２２】
0003188296.tif 000024
【図２３】
0003188296.tif 000025
【図２４】
0003188296.tif 000026
【手続補正書】
【提出日】平成25年11月8日(2013.11.8)
【手続補正１】
【補正対象書類名】実用新案登録請求の範囲
【補正対象項目名】全文
【補正方法】変更
【補正の内容】
【実用新案登録請求の範囲】
【請求項１】
箸を出し入れするための開口を有する上方開口長方体状の箱体と該箱体の開口部または開口部及び外周面を覆う蓋体からなる箸箱において、上方開口長方体状の箱体は箸を出し入れするための開口を上方に有し長手方向両端の箱体底面から垂直方向に延びた一対の短辺壁の上面側の大部分または全体を切り欠き、箱体の長手方向に平行し箱体底面の両側に箱体底面から垂直方向に延びた一対の長辺壁と箱体底面とで構成されたことを特徴とする箸箱。
【請求項２】
箱体の長手方向両端の切り欠いた短辺壁の一方を箸の箱体挿入口とし箱体挿入口から箸を挿入したときに、箱体に箸を係止させ箱体底面との間に箸中央部付近を挟み込むための箸係止部を長辺壁内側に具備したことを特徴とする請求項１記載の箸箱。
【請求項３】
箱体の箱体底面の一部に箱体底面傾斜部を具備したことを特徴とする請求項１又は２に記載の箸箱。
【請求項４】
箱体の長手方向に平行し箱体底面の両側に箱体底面から垂直方向に延びた一対の長辺壁と箱体底面との内角が半径０．５ｍｍ以上の内角Ｒ形状を具備したことを特徴とする請求項１から請求項３のうちのいずれか一項に記載の箸箱。
【手続補正書】
【提出日】平成25年11月10日(2013.11.10)
【手続補正１】
【補正対象書類名】明細書
【補正対象項目名】０００９
【補正方法】変更
【補正の内容】
【０００９】
箱体の長手方向両端の切り欠いた短辺壁の一方を箸の箱体挿入口とし箱体挿入口から箸を挿入したときに、箱体底面との間に箸中央部付近を挟み込むための箸係止部を長辺壁内側に具備したことを特徴とする。
【手続補正２】
【補正対象書類名】明細書
【補正対象項目名】００１０
【補正方法】変更
【補正の内容】
【００１０】
箱体底面の一部に箱体底面傾斜部を具備したことを特徴とする。
【手続補正３】
【補正対象書類名】明細書
【補正対象項目名】００１１
【補正方法】変更
【補正の内容】
【００１１】
箱体の長手方向に平行し箱体底面の両側に箱体底面から垂直方向に延びた一対の長辺壁と箱体底面との内角が半径０．５ｍｍ以上の内角Ｒ形状を具備したことを特徴とする。
【手続補正書】
【提出日】平成25年11月16日(2013.11.16)
【手続補正１】
【補正対象書類名】実用新案登録請求の範囲
【補正対象項目名】全文
【補正方法】変更
【補正の内容】
【実用新案登録請求の範囲】
【請求項１】
箸を出し入れするための開口を有する上方開口長方体状の箱体と該箱体の開口部または開口部及び外周面を覆う蓋体からなる箸箱において、上方開口長方体状の箱体は箸を出し入れするための開口を上方に有し長手方向両端の箱体底面から垂直方向に延びた一対の短辺壁の箱体底面からの高さを０ｍｍ以上７ｍｍ以下とし、箱体の長手方向に平行し箱体底面の両側に箱体底面から垂直方向に延びた一対の長辺壁と箱体底面とで構成されたことを特徴とする箸箱。
【請求項２】
箱体の長手方向両端の切り欠いた短辺壁の一方を箸の箱体挿入口とし箱体挿入口から箸を挿入したときに、箱体に箸を係止させ箱体底面との間に箸中央部付近を挟み込むための箸係止部を長辺壁内側に具備したことを特徴とする請求項１記載の箸箱。
【請求項３】
箱体の箱体底面の一部に箱体底面傾斜部を具備したことを特徴とする請求項１又は２に記載の箸箱。
【請求項４】
箱体の長手方向に平行し箱体底面の両側に箱体底面から垂直方向に延びた一対の長辺壁と箱体底面との内角が半径０．５ｍｍ以上の内角Ｒ形状を具備したことを特徴とする請求項１から請求項３のうちのいずれか一項に記載の箸箱。
【手続補正３】
【補正対象書類名】明細書
【補正対象項目名】全文
【補正方法】変更
【補正の内容】
【考案の詳細な説明】
【技術分野】
【０００１】
この考案は、洗浄が容易な箸箱に関するものである。
【背景技術】
【０００２】
従来の箸箱としては、箸を出し入れするための開口を有する上方開口長方体状の箱体と、該箱体の開口部または開口部及び外周面を覆う蓋体からなる箸箱において、箸箱の洗浄を容易としたものが種々存在する。(特許文献１及び２参照)
【先行技術文献】
【特許文献】
【０００３】
【特許文献１】特許第４０５４２４１号(第３図)
【０００４】
【特許文献２】実用新案登録第３１７９３７５号(第２図)
【０００５】
たとえば、特許文献１に記載された発明は箸を取り出し易くするための箸を持ち上げる機構を不要とすることで洗浄の手間を軽減したもので、特許文献２に記載された考案は蓋体と箱体は簡単に取り外す事ができるため使用後別々に洗浄することができることで清潔に保つことのできる衛生的な箸箱である。
【考案の概要】
【考案が解決しようとする課題】
【０００６】
特許文献１及び２に記載された発明、考案は箱体と蓋体とを分離洗浄を可能とすることで簡単に洗浄できるようにしたものである。上方開口長方体状の箱体は箸を出し入れするための開口を上方に有し箱体の長手方向に平行した箱体底面の両側に箱体底面から垂直方向に延びた一対の長辺壁と長手方向両端には箱体底面に対して垂直方向に延びた一対の短辺壁とで構成されている。
この上方開口長方体状の箱体の長手方向両端の四隅にある箱体底面と長辺壁と短辺壁の三面に囲まれた短辺内側深部隅Ｈは洗浄がしにくいために汚れが堆積し易いという課題があり解決されていない。    
【０００７】
本考案は、以上のような従来の欠点に鑑み、箱体内側の汚れが堆積しやすい長手方向両端の四隅にある箱体底面と長辺壁と短辺壁の三面に囲まれた短辺内側深部隅Ｈの洗浄が容易な箸箱を提供することを目的としている。
【課題を解決するための手段】
【０００８】
箸を出し入れするための開口を有する上方開口長方体状の箱体と該箱体の開口部または開口部及び外周面を覆う蓋体からなる箸箱において、上方開口長方体状の箱体は箸を出し入れするための開口を上方に有し長手方向両端の箱体底面から垂直方向に延びた一対の短辺壁の箱体底面からの高さを０ｍｍ以上７ｍｍ以下とし、箱体の長手方向に平行し箱体底面の両側に箱体底面から垂直方向に延びた一対の長辺壁と箱体底面とで構成された箸箱。
【０００９】
箱体の長手方向両端の切り欠いた短辺壁の一方を箸の箱体挿入口とし箱体挿入口から箸を挿入したときに、箱体底面との間に箸中央部付近を挟み込むための箸係止部を長辺壁内側に具備したことを特徴とする。
【００１０】
箱体底面の一部に箱体底面傾斜部を具備したことを特徴とする。
【００１１】
箱体の長手方向に平行し箱体底面の両側に箱体底面から垂直方向に延びた一対の長辺壁と箱体底面との内角が半径０．５ｍｍ以上の内角Ｒ形状を具備したことを特徴とする。
【考案の効果】
【００１２】
以上の説明から明らかなように、本考案にあっては次に列記する効果が得られる。
【００１３】
上方開口長方体状の箱体の長手方向両端の四隅にある箱体底面と長辺壁と短辺壁の三面に囲まれた短辺内側深部隅Ｈは洗浄がしにくいために汚れが堆積し易く短辺壁の箱体底面からの高さを０ｍｍ以上７ｍｍ以下とすることで汚れが堆積することを排除し洗浄を容易にすることができる。
【００１４】
上方開口長方体状の箱体の長手方向両端の短辺壁の箱体底面からの高さを０ｍｍ以上７ｍｍ以下とすることにより短辺壁の一方を箱体挿入口とし箸を挿入することを可能とし長辺壁内側に箸係止部を具備することにより箱体に箸を係止させ箸箱を持ち歩いた時のカタカタという音を低減することができる。
【００１５】
また、箸の取り出し時においては図１１に示すように箱体より蓋体を分離後に箱体を傾け箱体に収容係止されている箸を箱体底面上を滑べらせながら降下する箸を手で捕捉することにより容易に箸を取り出すことができる。
【００１６】
箱体底面の一部に箱体底面傾斜部を具備することにより、使用後の汚れた箸先と箱体底面との接触による箱体底面の汚れの付着を減らし箱体底面の洗浄を容易にすることができる。
【００１７】
さらに、箱体底面の一部に箱体底面傾斜部を具備することにより洗浄後の乾燥が不十分なままの箸を収容しても、箱体底面と箸との隙間ができることにより乾燥を促し雑菌の繁殖を低減することができる。
【００１８】
箱体の長手方向に平行し箱体底面の両側に箱体底面から垂直方向に延びた一対の長辺壁と箱体底面との内角を半径０．５ｍｍ以上とすることで、長辺壁と箱体底面との内角箇所の洗浄を容易にすることができる。
【００１９】
構成が簡素であり、箱体と蓋体とを完全に分離することができるので洗浄の手間を軽減できる。
【図面の簡単な説明】
【００２０】
【図１】従来の上方開口長方体状の箱体にスライド式の蓋体を準備した箸箱の一例である。
【図２】図１に示した従来の箸箱との違いを説明するために準備された本考案の箸箱の箱体及び蓋体の外観形状を示す実施例１である。
【図３】本考案の最良の形態を示す箸箱の箱体及び蓋体の外観形状を示す実施例２である。
【図４】本考案の実施例２の箸箱の正面図、平面図、底面図、右側面図、左側面図である。
【図５】本考案の実施例２の箱体の正面図、平面図、底面図、右側面図、左側面図である。
【図６】本考案の実施例２の蓋体の正面図、平面図、底面図、右側面図、左側面図である。
【図７】本考案の実施例２の箱体に箸を収容する方法を示す説明図である。
【図８】本考案の実施例２の箱体に箸を収容後、箸係止部によって箱体から箸が落下せずに係止されている説明図である。
【図９】本考案の実施例２の箱体に箸を収容後、蓋体を箱体の上部に準備後両手の親指で蓋体の両隅を押さえることにより箱体に合体させる説明図である。
【図１０】本考案の実施例２の箱体から蓋体の係止部を左手の親指で外すことにより蓋体を分離する説明図である。
【図１１】本考案の実施例２の箱体から箸の取り出し方法を示す説明図である。
【図１２】本考案の箸箱の箱体及び蓋体の外観形状を示す実施例３である。
【図１３】本考案の箸箱の箱体及び蓋体の外観形状を示す実施例４である。
【図１４】本考案の箸箱の箱体及び蓋体の外観形状を示す実施例５である。
【図１５】本考案の箸係止部の実施例（ア）である。
【図１６】本考案の箸係止部の実施例（イ）である。
【図１７】本考案の箸係止部の実施例（ウ）である。
【図１８】本考案の箸係止部の実施例（エ）である。
【図１９】本考案の箸係止部の実施例（オ）である。
【図２０】本考案の箸係止部の実施例（カ）である。
【図２１】本考案の箸係止部の実施例（キ）である。
【図２２】本考案の箸係止部の実施例（ク）である。
【図２３】本考案の箱体底面の形状を示す実施例（Ａ）である。
【図２４】本考案の箱体底面の形状を示す実施例（Ｂ）である。
【考案を実施するための形態】
【００２１】
以下、本考案の実施の形態を図に基づいて説明する。
【００２２】
図１は、従来の箸箱１０の一例で上方開口長方体状の箱体１３とスライド式の蓋体３６を準備し組立前の態様図である。上方開口長方体状の箱体１３は長手方向に平行した箱体底面６０の両側に箱体底面６０から垂直方向に延びた一対の長辺壁２０と長手方向両端には箱体底面６０に対して垂直方向に延びた一対の短辺壁２５と箱体底面６０とで構成されている。
【００２３】
箱体１３の内側上面には一対の条溝１６がつけられ蓋体３６の長手方向の両側に平行に一対の突条４２が具備され箱体１３の条溝１６に対して勘合後平行にスライド挿入させることにより箱体１３に蓋体３６を合体させる。
【００２４】
この上方開口長方体状の箱体１３の長手方向両端の四隅にある箱体底面６０と長辺壁２０と短辺壁２５の三面に囲まれた短辺内側深部隅Ｈは洗浄がしにくいために汚れが堆積し易い。
【００２５】
図２は、図１に示した従来の箸箱との違いを説明するために準備された本考案の箸箱１０の箱体１３及び蓋体３６の外観形状を示す実施例１で、箱体１３と蓋体３６を準備し組立前の態様図である。
【００２６】
この考案が適用された箸箱１０の箱体１３は、図１に示した従来の箱体１３の長手方向両端の四隅にある箱体底面６０と長辺壁２０と短辺壁２５の三面に囲まれた短辺内側深部隅Ｈの洗浄が容易なように工夫されたものであり、箱体１３の長手方向両端の短辺壁２５の箱体底面からの高さを０ｍｍとし、箱体底面６０と箱体１３の長手方向に平行した箱体底面６０の両側から垂直方向に延びた一対の長辺壁２０の２面構造とすることで汚れが堆積することを排除し洗浄を容易にした。
【００２７】
図３は本考案の最良の形態を示す箸箱１０の箱体１３及び蓋体３６の外観形状を示す実施例２で、箱体１３と蓋体３６を準備し組立前の態様図である。
【００２８】
この考案が適用された箸箱１０の箱体１３は、図１に示した従来の箱体１３の長手方向両端の四隅にある箱体底面６０と長辺壁２０と短辺壁２５の三面に囲まれた短辺内側深部隅Ｈの洗浄が容易なように工夫されたものであり、箱体１３の長手方向両端の短辺壁２５の箱体底面からの高さを０ｍｍとし、箱体底面６０と箱体１３の長手方向に平行した箱体底面６０の両側から垂直方向に延びた一対の長辺壁２０の２面構造とすることで汚れが堆積することを排除し洗浄を容易にした。
【００２９】
この箱体１３に上方開口面を覆う蓋板４５および箱体１３の側方開口面を覆う蓋体側板ａ部５０ａ及び蓋体側板ｂ部５０ｂで構成された蓋体３６が合体される。
【００３０】
箱体１３の長手方向に平行した箱体底面６０の両側から垂直方向に延びた長辺壁２０の上面は、箸先側１２ｃが箸握り部１２ａより細くなっている箸形状に沿う形で箱体挿入口１５から箱体箸先側１４に渡って高さが低くなるように傾斜している。
【００３１】
また、箱体１３の長辺壁２０の長手方向の両端の上部の側面形状は略R形状を呈している。
【００３２】
さらにこの箱体１３は箸１２を係止させるために箱体底面６０との間に箸中央部１２ｂ付近を挟み込むための箸係止部８０を長辺壁２０内側に具備している。
【００３３】
図４は、本考案の実施例２の箸箱１０の正面図、平面図、底面図、右側面図、左側面図である。
【００３４】
図５は、本考案の実施例２の箱体１３の正面図、平面図、底面図、右側面図、左側面図である。
【００３５】
箱体１３は箱体底面６０と箱体１３の長手方向に平行した箱体底面６０の両側から垂直方向に延びた一対の長辺壁２０とで構成され箱体１３に箸１２を係止させるために箱体底面６０との間に箸中央部１２ｂ付近を挟みこむための箸係止部８０を長辺壁２０内側に具備している。
【００３６】
箱体１３には箱体係止ａ部３０ａ、箱体係止ｂ部３０ｂが具備されている。
【００３７】
図６は、本考案の実施例２の蓋体３６の正面図、平面図、底面図、右側面図、左側面図である。
【００３８】
蓋体３６は、蓋板４５と蓋板４５の長手方向両端に蓋板側板ａ部５０ａ及び蓋板側板ｂ部５０ｂを具備し、蓋板４５と蓋板側板ａ部５０ａ、蓋板側板ｂ部５０ｂは箱体形状に沿う形で連続した曲面にて接続されている。
【００３９】
蓋体３６の蓋体側板ａ部５０ａ、蓋体側板ｂ部５０ｂには蓋体係止ａ部４０ａ、蓋体係止ｂ部４０ｂが具備されている。
【００４０】
図７は、本考案の実施例２の箱体１３に箸１２を収容する方法を示す説明図である。尚、下記右手左手についての記述は右利きの人を前提としているものであって左利きの人に関しては、その逆手と解釈するものとする。
【００４１】
箱体１３に箸１２を収容する際には左手で箱体１３の箱体箸先側１４を把持し箱体１３の箱体挿入口１５の高さを高くし右手で保持した箸１２の箸先側１２ｃを斜め下方向に向け箱体挿入口１５から箱体底面６０に沿って滑らせることにより箱体１３の長辺壁２０の内側に具備した箸係止部８０と箱体底面６０とに箸中央部１２ｂ付近が挟みこまれ箸１２が箱体１３に係止される。
【００４２】
図８は、本考案の実施例２の箱体１３に箸１２を収容した状態を示す。箱体１３の箱体箸先側１４を下位側に箱体挿入口１５を上位側に傾けることにより箱体１３の箸係止部８０によって箱体１３から箸１２は落下することなく係止されている。
【００４３】
図９は、本考案の実施例２において箸１２を収容した箱体１３および蓋体３６が準備され両手の小指、薬指で箱体を抱えるように保持しながら上から蓋体３６を箱体１３に覆うようにし両手の親指で蓋体３６の蓋体係止ａ部４０ａに対しては箱体１３の箱体係止ａ部３０ａに、蓋体３６の蓋体係止ｂ部４０ｂに対しては箱体１３の箱体係止ｂ部３０ｂが係止するまで押さえることにより箱体１３と蓋体３６が合体され箸１２が収容された箸箱１０になる。
【００４４】
図１０は、本考案の実施例２において箱体１３から蓋体３６の取り外し方について説明したものである。左手で箱体１３の箱体挿入口１５近辺を把持し蓋体３６の蓋体係止ａ部４０ａを左手の親指で箱体１３の箱体係止ａ部３０ａから外す方向に力を加えながら箱体係止ａ部３０ａに係止されていた蓋体３６の蓋体係止ａ部４０ａを外す。
【００４５】
図１１は、本考案の実施例２において箱体１３からの箸１２の取り出し方法について説明したものである。
【００４６】
箱体１３の長手方向に対して水平を保つように左手親指と中指で箱体１３の箱体箸先側１４を把持ちしながら、箱体１３の箱体挿入口１５を下位方向に高さを下げていくことにより箱体１３に収容されていた箸１２が箱体底面６０上を滑りだしたら箱体１３の位置角度を維持し、降下し滑り落ちる箸１２を右手で捕えることにより箸１２を取り出す。
【００４７】
図１２は、本考案の箸箱１０の箱体１３及び蓋体３６の外観形状を示す実施例３で箱体の長手方向に平行した箱体底面６０の両側に箱体底面６０から垂直方向に延びた一対の長辺壁２０の上面が箸先側１２ｃが箸握り部１２ａより細くなっている箸形状に沿う形で箱体挿入口１５から箱体箸先側１４に渡って高さが低くなるように傾斜し長辺壁２０の側面形状が略台形形状を呈している箱体１３で互いに平行する長辺壁２０の内側に相互の長辺壁２０に跨る直方体状（ア）の箸係止部８０を設けている。
【００４８】
図１３は、本考案の箸箱１０の箱体１３及び蓋体３６の外観形状を示す実施例４で箱体１３の長手方向に平行した箱体底面６０の両側に箱体底面６０から垂直方向に延びた一対の長辺壁２０の上面が箱体挿入口１５から箱体箸先側１４に渡って高さが低くなるように傾斜し長手方向両端の下部が略Ｒ形状を呈し短辺壁２５と箱体底面６０とが連続した曲面で接続され短辺壁２５と箱体底面６０との境界がなく短辺壁の箱体底面からの高さを７ｍｍ以下としている実施例で、互いに平行する長辺壁２０の内側に跨る略直方体状（ア）の箸係止部８０を設けている。
【００４９】
図１４は、本考案の箸箱１０の箱体１３及び蓋体３６の外観形状を示す実施例５で、箸１２の箸握り部１２ａを収容する部分を箱体底面６０と長辺壁２０とで囲まれた収容空間３５を形成した構造とし、箸先側１２ｃを収容する部分を箱体底面６０のみとし箸握り部１２ａを収容する部分と箸先側１２ｃを収容する部分との境の長辺壁２０の上面を略Ｒ形状とした箱体１３で、互いに平行する長辺壁２０内側に跨る曲面形状（ケ）の箸係止部８０を設けている。
【００５０】
箸先側１２ｃを収容する箱体箸先側１４を箱体底面６０のみとすることで箸箱１０の箱体１３の洗浄を容易にしている。
【００５１】
図は省略するが、箱体１３の箱体底面６０の形状を箸握り部１２ａを収容する箱体挿入口１５を平面とし、箸先側１２ｃを収容する箱体箸先側１４の高さが箱体挿入口１５の高さより低くなるように箱体底面傾斜部１００を具備することで収容された箸１２の箸先側１２ｃと箱体底面６０とに隙間ができ使用後の汚れた箸１２の箸先側１２ｃからの箱体底面６０への汚れの付着を軽減させ箸箱１０の洗浄をさらに容易にさせる。
【００５２】
箱体１３に箸１２を収容したら上部から箱体形状６０に勘合する形状を有する蓋体３６を合体させる。
【００５３】
図１５は箸係止部８０の形状を示す実施例（ア）で、実施例２の箱体１３の互いに平行する一対の長辺壁２０の内側に跨る略直方体形状の箸係止部８０を具備したものである。
【００５４】
図１６は箸係止部８０の形状を示す実施例（イ）で、実施例２の箱体１３の互いに平行する一対の長辺壁２０の内側に跨る略円柱状の箸係止部８０を具備したものである。
【００５５】
図１７は箸係止部８０の形状を示す実施例（ウ）で、実施例２の箱体１３の互いに平行する一対の長辺壁２０の内側から突起した略台形体形状の箸係止部８０を具備したものである。
【００５６】
図１８は箸係止部８０の形状を示す実施例（エ）で、実施例２の箱体１３の互いに平行する一対の長辺壁２０の内側から突起した略三角柱体形状の箸係止部８０を具備したものである。
【００５７】
図１９は箸係止部８０の形状を示す実施例（オ）で、実施例２の箱体１３の互いに平行する一対の長辺壁２０の上面の一部を溝形状に切り欠きゴム状の弾性体８５を巻くことで箸係止部８０としたものである。
【００５８】
図２０は箸係止部８０の形状を示す実施例（カ）で、実施例２の箱体１３の互いに平行する一対の長辺壁２０の側面に貫通穴を開け、円盤状の頭部を具備し先端が凹と凸形状を具備した一対のピンａ８６を互いに向かい合うように貫通穴に挿入後、勘合させることで箱体１３に箸係止部８０としての機能を具備したものである。
【００５９】
図２１は箸係止部８０の形状を示す実施例（キ）で、実施例２の箱体１３の互いに平行する一対の長辺壁２０の側面に貫通穴の一部が長辺壁２０の上面に掛かり貫通穴の一部が切り欠かれた形状を呈する貫通穴に、円盤状の頭部を具備した円柱体状のピンｂ８７を勘合させることで箱体１３に箸係止部８０としての機能を具備したものである。
【００６０】
図２２は箸係止部８０の形状を示す実施例（ク）で、実施例２の箱体１３の互いに平行する一対の長辺壁２０の上面の一部に凹形状の切り欠きを入れ、箱体１３の外側底面に対して係止する形状を具備したこの字状のフック９０をはめ込むことで箸係止部８０とした。この字状のフック９０は弾力性のある樹脂材料により成形されたものでこの字状のフック９０の箸係止部８０を箱体底面６０から取り外し分離後洗浄を可能としたものである。
【００６１】
図２３は本考案の箱体底面６０の形状を示す実施例（Ａ）で、図１〜図２２の箱体底面６０は一平面であったのに対して箱体底面６０が平面と傾斜面で構成するようにしたものである。図２３に示す実施例（Ａ）は、箱体１３の箱体底面６０の高さが箱体中央部の平面部分に対して、長手方向両端が低くなるように箱体底面傾斜部１００を設けたものである。図は省略するが、箱体中央部の平面部分に対して長手方向両端の高さが高くなるようにしてもよいし、箱体底面傾斜部１００を箱体箸先側１４の片側だけに設けるようにしてもよい。
【００６２】
図２４は本考案の箱体底面６０の形状を示す実施例（Ｂ）で、図１〜図２３は箱体１３の長手方向に平行し箱体底面６０の両側に箱体底面６０から垂直方向に延びた一対の長辺壁２０と箱体底面６０との内角が直角に交わり半径０．５ｍｍ以下のＲ形状がついているのに対して半径０．５ｍｍ以上のより大きな内角Ｒ形状１２０を具備することにより箱体底面６０と長辺壁２０との内角箇所の洗浄を容易にするようにした。
【産業上の利用可能性】
【００６３】
本考案は箸箱を製造する産業で利用される。
【符号の説明】
【００６４】
１０・・・  箸箱
１２・・・  箸
１２ａ・・・箸握り部
１２ｂ・・・箸中央部
１２ｃ・・・箸先側
１３・・・  箱体
１４・・・  箱体箸先側
１５・・・  箱体挿入口
１６・・・  条溝
２０・・・  長辺壁
２５・・・  短辺壁
３０ａ・・・箱体係止ａ部
３０ｂ・・・箱体係止ｂ部
３５・・・  収容空間
３６・・・  蓋体
４０ａ・・・蓋体係止ａ部
４０ｂ・・・蓋体係止ｂ部
４２・・・  突条
４５・・・  蓋板
５０ａ・・・蓋体側板ａ部
５０ｂ・・・蓋体側板ｂ部
６０・・・  箱体底面
８０・・・  箸係止部
８５・・・  ゴム状の弾性体
８６・・・  ピンａ
８７・・・  ピンｂ
９０・・・  フック
１００・・・箱体底面傾斜部
１２０・・・内角Ｒ形状